(57)【要約】      （修正有）【課題】同じ無線タグをスキャンする通信端末に対して、そのスキャン間隔を適切に制御することのできる端末管理装置を提供することを目的とする。【解決手段】サービスサーバ３００において、受信部３０１により受信され、端末情報記憶部３０２に記憶されたタグＩＤに基づいて、類似エリア判断部３０３は、同じまたは類似のスキャンエリアである類似エリアを形成する複数の携帯端末または固定端末を選択する。そして、端末決定部３０４は、選択された複数の携帯端末または固定端末のうち、少なくとも一つの携帯端末または固定端末のスキャン間隔を、直前のスキャン間隔より長くする制御を行なう【選択図】図２
2018018442.tif 000002
【特許請求の範囲】
【請求項１】
所定のスキャン間隔で無線タグを検出する一または複数の通信端末から、一または複数の無線タグのタグＩＤを、前記通信端末を識別するための装置ＩＤとともに受信する受信部と、
前記受信部により受信されたタグＩＤに基づいて、同じまたは類似のスキャンエリアである類似エリアを形成する複数の通信端末を選択する類似エリア判断部と、
前記類似エリア判断部により選択された複数の通信端末のうち、少なくとも一つの通信端末に対して、スキャン処理の頻度を抑える制御を行なう制御部と、
端末管理装置。
【請求項２】
前記制御部は、
前記通信端末のスキャン間隔を、直前のスキャン間隔より長くする、または所定時間スキャンの停止を指示する制御を行なう、請求項１に記載の端末管理装置。
【請求項３】
前記受信部は、通信端末の装置ＩＤとともに当該通信端末のリソースを示すリソース情報を受信し、
前記制御部は、
前記リソースに基づいて決定された通信端末のスキャン間隔を長くする、または所定時間スキャンの停止を指示する制御を行なう、請求項１または２に記載の端末管理装置。
【請求項４】
前記類似エリア判断部は、
前記受信部により受信された装置ＩＤに基づいて、類似エリアをすでに形成している通信端末であると判断されると、前記受信されたタグＩＤは、前記類似エリア形成時において受信されたタグＩＤと同じであるか否かを判断し、
前記制御部は、
前記類似エリア判断部により同じではないと判断されると、前記類似エリアを形成している通信端末に対して、そのスキャン間隔を初期値に戻す処理を行なう、
請求項１から３のいずれか一項に記載の端末管理装置。
【発明の詳細な説明】
【技術分野】
【０００１】
本発明は、無線タグをスキャンする通信端末を管理する端末管理装置に関する。
【背景技術】
【０００２】
特許文献１には、捜索対象者に近距離無線通信の電波を発信する無線タグを所持させ、捜索者が所持する携帯端末によって、無線タグからの電波を受信することにより、捜索対象者の捜索を容易にする技術が記載されている。
【先行技術文献】
【特許文献】
【０００３】
【特許文献１】特開２０１５−２３０４８９号公報
【発明の概要】
【発明が解決しようとする課題】
【０００４】
特許文献１の技術のように、無線タグを検出してサーバ側にその情報を集約させようとするシステムにおいては、一つの携帯端末がスキャンしても、複数の携帯端末がスキャンしても、同じ無線タグをスキャンしている限り、その効果は変わらない。したがって、そのような場合には、一つの携帯端末がスキャンすればよく、他の携帯端末は、無駄にスキャン処理をすることになり、他の携帯端末にとっては多くの電力を消費するという問題がある。
【０００５】
そこで、本発明は、同じ無線タグをスキャンする通信端末に対して、そのスキャン間隔を適切に制御することのできる端末管理装置を提供することを目的とする。
【課題を解決するための手段】
【０００６】
上述の課題を解決するために、本発明の端末管理装置は、所定のスキャン間隔で無線タグを検出する一または複数の通信端末から、一または複数の無線タグのタグＩＤを、前記通信端末を識別するための装置ＩＤとともに受信する受信部と、前記受信部により受信されたタグＩＤに基づいて、同じまたは類似のスキャンエリアである類似エリアを形成する複数の通信端末を選択する類似エリア判断部と、前記類似エリア判断部により選択された複数の通信端末のうち、少なくとも一つの通信端末に対して、スキャン処理の頻度を抑える制御を行なう制御部と、を備える。
【０００７】
例えば、前記制御部は、前記通信端末のスキャン間隔を、直前のスキャン間隔より長くする、または所定時間スキャンの停止を指示する制御を行なうようにしてよい。
【０００８】
この発明によれば、受信されたタグＩＤに基づいて、同じまたは類似のスキャンエリアである類似エリアを形成する複数の通信端末を選択し、選択された複数の通信端末のうち、少なくとも一つの通信端末のスキャン頻度を抑える、例えば、そのスキャン間隔を長くし、または所定時間スキャンの停止を指示する制御を行なう。複数の通信端末が同じまたは類似のスキャンエリアを形成するということは、同じ無線タグをスキャンすることになる。それら複数の通信端末のうちいくつかの通信端末はスキャン間隔を長くまたは所定時間停止しても、他の通信端末がスキャン間隔を変えていなければ、スキャン精度を変えることなく無線タグをスキャンすることができる。したがって、システム全体として、スキャン精度を変えることなく他の通信端末の電池消費を低減することができる。
【発明の効果】
【０００９】
本発明によれば、システム全体として、スキャン精度を変えることなく通信端末の電池消費を低減することができる。
【図面の簡単な説明】
【００１０】
【図１】本実施形態のサービスサーバ３００を用いた通信システムのシステム構成を示す図である。
【図２】サービスサーバ３００の機能構成を示すブロック図である。
【図３】サービスサーバ３００のハードウェア構成図である。
【図４】スキャン情報テーブルの具体例を示す。
【図５】類似エリア管理テーブルの具体例を示す。
【図６】携帯端末１００の機能を示すブロック図である。
【図７】携帯端末１００とサービスサーバ３００との間の基本的な処理を示すシーケンス図である。
【図８】類似エリアを形成するときの、携帯端末１００およびサービスサーバ３００の処理を示すフローチャートである。
【図９】スキャン間隔をデフォルトに戻すときの、携帯端末１００およびサービスサーバ３００の処理を示すフローチャートである。
【発明を実施するための形態】
【００１１】
添付図面を参照しながら本発明の実施形態を説明する。可能な場合には、同一の部分には同一の符号を付して、重複する説明を省略する。
【００１２】
図１は、本実施形態のサービスサーバ３００を用いた通信システムのシステム構成を示す図である。図に示されているとおり、この通信システムは、携帯端末１００、固定端末１５０、無線タグ２００ａ〜２００ｄおよびサービスサーバ３００を含んで構成されている。なお、図においては単数で記載されているが、携帯端末１００および固定端末１５０は、複数存在していてもよい。
【００１３】
携帯端末１００および固定端末１５０は、ブルートゥースなどの近距離無線通信によって、無線タグ２００ａ〜２００ｄをスキャンして検出することができる通信端末である。携帯端末１００および固定端末１５０は、検出した無線タグ２００ａ〜２００ｄのタグＩＤをサービスサーバ３００に送信する。サービスサーバ３００は、受信したタグＩＤに基づいて、携帯端末１００および固定端末１５０は、同じまたは類似のスキャンエリア（類似エリア）を形成するものであると認識することができる。図１におけるエリアＡは、携帯端末１００のスキャンエリアを示し、エリアＢは、固定端末１５０のスキャンエリアを模式的に示したものである。それぞれ、検出される無線タグは同じであることから類似エリアとして認識されるものである。
【００１４】
なお、この携帯端末１００の利用シーンとしては、つぎのものがある。携帯端末１００は、管理サーバに対して、携帯端末１００の周囲に存在する無線タグ２００のタグＩＤを送信する。これにより、その周囲の無線タグの存在を管理サーバ側で把握することができる。例えば、無線タグ２００を子供や老人、ペットなどに持たせることで、どこにいるのかを管理サーバは把握することができる。このような携帯端末１００は、一般ユーザが所持しているものである。
【００１５】
図２は、サービスサーバ３００の機能構成を示すブロック図である。図２に示されるとおり、サービスサーバ３００は、携帯端末１００等の通信端末を管理する端末管理装置として機能するものであって、受信部３０１、端末情報記憶部３０２、類似エリア判断部３０３、端末決定部３０４（制御部）、および通知部３０５を含んで構成されている。
【００１６】
図３は、サービスサーバ３００のハードウェア構成図である。図２に示されるサービスサーバ３００は、物理的には、図３に示すように、一または複数のプロセッサ１００１、主記憶装置であるメモリ１００２、ハードディスクまたは半導体メモリ等のストレージ１００３、ネットワークカード等のデータ送受信デバイスである通信装置１００４、入力装置１００５、ディスプレイ等の出力装置１００６などを含むコンピュータシステムとして構成されている。図２における各機能は、図３に示すメモリ１００２等のハードウェア上に所定のコンピュータソフトウェアを読み込ませることにより、プロセッサ１００１の制御のもとで入力装置１００５、出力装置１００６、通信装置１００４を動作させるとともに、メモリ１００２やストレージ１００３におけるデータの読み出し及び書き込みを行うことで実現される。
【００１７】
以下、図２に示される機能ブロックに基づいて各機能を説明する。
【００１８】
受信部３０１は、携帯端末１００または固定端末１５０から、ネットワークを介して、スキャン結果（タグＩＤ）、装置ＩＤ、スキャン日時（年月日時分秒）、および残り稼働予想時間を含んだスキャン情報を受信する部分である。
【００１９】
端末情報記憶部３０２は、受信部３０１により受信されたスキャン情報を記憶する部分である。
【００２０】
図４は、端末情報記憶部３０２が記憶するスキャン情報テーブルの説明図である。図４に示されるように、スキャン情報テーブルは、装置ＩＤ、タグＩＤ、スキャン日時、および残り稼働予想時間を対応付けて記憶している。装置ＩＤは、携帯端末１００または固定端末１５０を示すＩＤである。タグＩＤは、携帯端末１００または固定端末１５０がスキャンして検出した無線タグのＩＤである。スキャン日時は、携帯端末１００または固定端末１５０がスキャンした日時である。残り稼働予想時間は、携帯端末１００においてその電池残量において演算された稼働時間を示す。なお、残り稼働予想時間にかえて、電池残量としてもよい。
【００２１】
類似エリア判断部３０３は、受信部３０１によりスキャン情報が受信されるごとに、端末情報記憶部３０２に記憶されているスキャン情報に基づいて、そのタグＩＤが同じまたは類似のスキャンエリアを形成する携帯端末１００および固定端末１５０を判断して、抽出する部分である。
【００２２】
図３を例にとると、類似エリア判断部３０３は、装置ＩＤがａａａ、ｂｂｂのタグＩＤが、全て一致するため、これら携帯端末１００（または固定端末１５０）が同じまたは類似のスキャンエリア（類似エリア）を形成するものとして抽出する。なお、タグＩＤが一部異なっていても、予め定めた個数、または、一致割合の範囲であれば類似エリアとして判断してもよい。
【００２３】
また、類似エリア判断部３０３は、類似エリアを形成する端末ＩＤを管理する類似エリア管理テーブルを有している。図５は、その類似エリア管理テーブルの具体例を示す。図に示されるとおり、グループと、端末ＩＤとが対応付けて記憶されている。ここでは、端末ＩＤ：ａａａと端末ＩＤ：ｂｂｂとが類似エリアを形成するものとして管理されている。
【００２４】
類似エリア判断部３０３は、この類似エリア管理テーブルを用いてスキャン情報を送信した携帯端末１００が、すでに類似エリア形成中であるか否かを判断する。類似エリア形成中であれば、そのタグＩＤに変更があったか否かを、スキャン情報テーブルに基づいて判断する。類似エリア形成中ではなければ、類似エリアの作成処理を行なう。
【００２５】
端末決定部３０４は、ここで抽出された携帯端末１００および固定端末１５０のうち、一の携帯端末１００または一の固定端末１５０を決定する。なお、携帯端末１００と固定端末１５０とが混在したものから一の端末を決定しようとする場合には、一の固定端末１５０を決定するのがよい。固定端末１５０であることは、装置ＩＤから判断してもよいし、また別途装置種別情報を携帯端末１００および固定端末１５０から送信してもらい、その装置種別に基づいて判断するようにしてもよい。また、複数の携帯端末１００のみから一の端末を決定しようとする場合には、残り稼働予想時間に基づいて残り稼働予想時間が最も長い（または電池残量が最も多い）携帯端末１００を決定するのがよい。
【００２６】
通知部３０５は、端末決定部３０４により決定された携帯端末１００または固定端末１５０以外の端末に対してスキャン停止の旨の指示信号を通知する。なお、スキャン停止に代えて、スキャン間隔を長くする指示信号や、または各携帯端末１００において直前に設定されていたスキャン間隔より長くしたスキャン間隔を算出して、その算出したスキャン間隔を通知するようにしてもよい。その算出方法は、デフォルトで定まっているスキャン間隔に予め定めた数値を加算または減算することにより、スキャン間隔を長くしたり、または短くすることができる。
【００２７】
つぎに、携帯端末１００の機能について説明する。図６は、携帯端末１００の機能を示すブロック図である。図６に示されるように、携帯端末１００は、無線通信部１０１、近距離無線通信部１０２および通信制御部１０３を含んで構成されている。この携帯端末１００も、図３に示されるようなハードウェアによって構成されている。本実施形態においては、この携帯端末１００は、例えば携帯電話であったり、スマートフォンである。
【００２８】
無線通信部１０１は、サービスサーバ３００または管理サーバ（図示しない）と、ネットワークを介して通信する部分であり、スキャン情報を送信する。
【００２９】
近距離無線通信部１０２は、無線タグを予め定めたスキャン間隔でスキャンして検出する部分である。例えばブルートゥース通信により、無線タグから発信されたアドバタイズ信号をスキャンすることができる。
【００３０】
通信制御部１０３は、無線通信部１０１および近距離無線通信部１０２の通信制御を行なう部分である。ここでは、通信制御部１０３は、近距離無線通信部１０２のスキャン間隔を制御する。
【００３１】
このように構成された携帯端末１００およびサービスサーバ３００の処理について説明する。図７は、携帯端末１００と、サービスサーバ３００との間の基本的な処理を示すシーケンス図である。なお、ここでは、携帯端末１００として、携帯端末ａおよび携帯端末ｂを区別して説明する。
【００３２】
無線タグ２００は、定期的にタグＩＤを含んだアドバタイズ信号を出力している（Ｓ１０１）。携帯端末ａがこれをスキャンして検出すると、タグＩＤ、装置ＩＤ、スキャン日時および残り稼働予想時間を含んだスキャン情報が送信される（Ｓ１０２）。
【００３３】
そして、サービスサーバ３００において、スキャン情報が端末情報記憶部３０２に記憶され（Ｓ１０３）、類似エリア判断部３０３により、類似エリアがあるか否かが判断される（Ｓ１０４）。図７の例では、携帯端末ａのみからスキャン情報がきているため、類似エリアなしと判断される。
【００３４】
その後、同じ無線タグ２００からアドバタイズ信号が出力され、携帯端末ｂによりスキャンされ、検出される（Ｓ１０５）。そして、そのスキャン情報がサービスサーバ３００に送信される（Ｓ１０６）。
【００３５】
サービスサーバ３００において、端末情報記憶部３０２に、送信されたスキャン情報が記憶され（Ｓ１０７）、類似エリア判断部３０３により類似エリアの判断が行なわれる（Ｓ１０８）。ここでは、携帯端末ａから送信されたタグＩＤと同じであることから、類似エリアありと判断される。そして、残り稼働予想時間に基づいて、スキャン停止対象となる携帯端末１００が決定される（Ｓ１０９）。ここで、携帯端末ａの残り稼働予想時間が、携帯端末ｂより短いと判断され、サービスサーバ３００から携帯端末ａに対して、スキャン停止時間を含んだスキャン停止通知が送信される（Ｓ１１０）。
【００３６】
携帯端末ａにおいて、サービスサーバ３００からスキャン停止通知が受信されると、そのスキャン停止時間、スキャン停止される（Ｓ１１１）。なお、ここでは、スキャン間隔を長くするような指示を出してもよい。
【００３７】
このようにして、類似エリアの判定を行ない、複数の携帯端末１００を抽出できた場合、決定した一の携帯端末１００以外の他の携帯端末１００のスキャン間隔を長くする処理を行なう。これにより、他の携帯端末１００の電池消費を低減することができる。
【００３８】
つぎに本実施形態のサービスサーバ３００および携帯端末１００のより詳細な処理について説明する。図８は、携帯端末１００およびサービスサーバ３００の処理を示すフローチャートである。
【００３９】
携帯端末１００において、所定のスキャン間隔でスキャンが行なわれる（Ｓ２０１）。そして、一または複数の無線タグ２００が検出されると、そのタグＩＤの一覧であるタグ一覧、スキャン日時、残り稼働予想時間が、装置ＩＤとともにサービスサーバ３００に送信される（Ｓ２０３）。
【００４０】
サービスサーバ３００において、携帯端末１００からタグ一覧、スキャン日時、残り稼働予想時間が受信され（Ｓ３０１）、タグ一覧が類似する携帯端末１００が複数あるか否かが、類似エリア判断部３０３により判断される（Ｓ３０２）。ここで、タグ一覧が全部一致しているなど類似エリアと判断できる携帯端末１００が複数ある場合には（Ｓ３０３：ＹＥＳ）、端末決定部３０４によりその複数の携帯端末１００のうち残り稼働予想時間が最も長いものが決定され、それ以外の携帯端末１００が選択される（Ｓ３０３）。そして、その選択された携帯端末１００に対して一定期間を示したスキャン停止の指示が送信される（Ｓ３０４）。
【００４１】
携帯端末１００において、スキャン停止の指示が受信されると（Ｓ２０４）、スキャンが、そのスキャン停止時間、停止される（Ｓ２０５）。そして、そのスキャン停止時間、経過すると（Ｓ２０６）、再度スキャンが行なわれ、これら処理が繰り返し行なわれる。なお、Ｓ３０４においては、サービスサーバ３００から、一定期間のスキャン停止の指示が送信されるが、これに代えて、スキャン停止の指示のみが送信され、携帯端末１００側においては、スキャン停止の指示が受信されると、予め携帯端末１００側において設定されたスキャン停止時間、停止するようにしてもよい。
【００４２】
つぎに、すでに類似エリアを形成している状態において、その類似エリアをリセットするときの処理について説明する。図９は、その処理を行なう携帯端末１００とサービスサーバ３００とのフローチャートである。
【００４３】
携帯端末１００において、スキャン処理が行なわれ、タグ一覧等のスキャン情報がサービスサーバ３００に送信される（Ｓ２０１−Ｓ２０３）。
【００４４】
そして、サービスサーバ３００においては、携帯端末１００からタグ一覧等のスキャン情報が受信されると（Ｓ３０１）、その携帯端末１００がすでに類似エリアを形成しているか否かが、類似エリア判断部３０３により判断される（Ｓ３０１ａ）。
【００４５】
ここで、類似エリア形成中ではないと判断されると（Ｓ３０１ａ：ＮＯ）、類似エリアを形成する複数の携帯端末の抽出処理およびスキャン間隔を長くする携帯端末１００の選択処理が行なわれる（Ｓ３０２，Ｓ３０３）。そして、選択された携帯端末１００に、スキャン間隔を延伸する旨の通知（新たなスキャン間隔時間を含む）が行なわれる（Ｓ３０４ａ）。このスキャン間隔の延伸処理は、上述したとおり、所定値を加算することにより行なわれるが、それ以外に方法であってもよい。なお、Ｓ３０４ａにおいては、サービスサーバ３００から、スキャン間隔時間を含んだ、延伸の指示が送信されるが、これに代えて、スキャン間隔延伸の指示のみが送信され、携帯端末１００側においては、スキャン間隔延伸の指示が受信されると、予め携帯端末１００側において設定されたスキャン間隔でスキャンするようにしてもよい。
【００４６】
携帯端末１００において、スキャン間隔の延伸指示が受信されると（Ｓ２０４ａ）、延伸されたスキャン間隔でスキャン処理が行なわれる（Ｓ２０５ａ）。
【００４７】
また、サービスサーバ３００において、ステップＳ３０１ａにおいて、類似エリア形成中であると判断されると（Ｓ３０１ａ：ＹＥＳ）、受信されたタグ一覧におけるタグＩＤが、前回受信されたタグ一覧から変更があったか否かが、類似エリア判断部３０３により判断される（Ｓ３０５）。ここで、同じではないと判断されると（Ｓ３０５：ＮＯ）、通知部３０５により、この類似エリアを形成している全ての携帯端末１００に対してスキャン間隔をデフォルトに設定することの通知が行なわれる（Ｓ３０６）。なお、３つ以上の携帯端末１００で類似エリアを形成している場合においては、検出したタグＩＤが変化した携帯端末１００以外、類似エリアをリセットする必要はなく、タグＩＤが変化した携帯端末１００のみに対して、デフォルトに設定するようにしてもよい。
【００４８】
携帯端末１００において、そのデフォルトの設定指示が受信されると（Ｓ２０７：ＹＥＳ）、スキャン間隔をデフォルトに戻す処理が行なわれる（Ｓ２０８）。
【００４９】
つぎに、本実施形態のサービスサーバ３００の作用効果について説明する。サービスサーバ３００において、受信部３０１により受信され、端末情報記憶部３０２に記憶されたタグＩＤに基づいて、類似エリア判断部３０３は、同じまたは類似のスキャンエリアである類似エリアを形成する複数の携帯端末１００または固定端末１５０を選択する。そして、端末決定部３０４は、選択された複数の携帯端末１００または固定端末１５０のうち、少なくとも一つの携帯端末１００または固定端末１５０のスキャン頻度を抑える制御を行なう。例えば、スキャン間隔を、直前のスキャン間隔より長くしたり、または所定時間スキャンを停止させる制御を行なう。
【００５０】
複数の携帯端末１００または固定端末１５０が同じまたは類似のスキャンエリアを形成するということは、同じ無線タグ２００をスキャンすることになる。それら複数の携帯端末１００または固定端末１５０のうちいくつかの携帯端末１００または固定端末１５０のスキャン頻度を抑える、例えばスキャン間隔を長くしたり、所定時間スキャンを停止していたとしても、他の携帯端末１００または固定端末１５０のスキャン間隔を変えていなければ、システム全体としてスキャン精度を変えることない。したがって、システム全体として、スキャン精度を変えることなく他の携帯端末１００の電池消費を低減することができる。
【００５１】
また、本実施形態のサービスサーバ３００において、端末決定部３０４は、受信したリソース情報に基づいて決定したリソースに余裕のない携帯端末１００のスキャン間隔を長くする制御を行なうことで、その携帯端末１００における電池消費を低減することができる。例えばリソースに余裕のないものとして、電池残量がほかの携帯端末より少ないとした場合、その携帯端末１００の電池消費を低減することの意義がある。そのほか、ＣＰＵの稼働率がほかの携帯端末より高い、メモリの空き容量がほかの携帯端末より少ないなどのものとしてもよい。
【００５２】
また、このサービスサーバ３００において、類似エリア判断部３０３は、受信された装置ＩＤに基づいて、その携帯端末１００または固定端末１５０がすでに類似エリアを形成していると判断すると、さらに、その携帯端末１００または固定端末１５０からの受信されたタグＩＤが、類似エリア形成時において受信されたタグＩＤと同じであるか否かを判断する。
【００５３】
そして、類似エリア判断部３０３により、同じではないと判断されると、通知部３０５は、類似エリアを形成している携帯端末１００または固定端末１５０に対して、そのスキャン間隔を初期値に戻す処理を行なう。これにより、すでに類似エリアを形成している状態において、無線タグ２００が類似エリア外に移動するなど、無線タグ２００が前回スキャンしたものと変わった場合に、それは携帯端末１００を含めて変更があったと判断することができ、そうした場合にはスキャン間隔を元に戻すことで、適正なスキャン処理を可能にする。
【００５４】
なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【００５５】
例えば、本発明の一実施の形態におけるサービスサーバ３００などは、本実施形態のサービスサーバ３００の処理を行うコンピュータとして機能してもよい。図３は、本実施形態に係るサービスサーバ３００のハードウェア構成の一例を示す図である。上述のサービスサーバ３００は、物理的には、プロセッサ１００１、メモリ１００２、ストレージ１００３、通信装置１００４、入力装置１００５、出力装置１００６、バス１００７などを含むコンピュータ装置として構成されてもよい。
【００５６】
なお、以下の説明では、「装置」という文言は、回路、デバイス、ユニットなどに読み替えることができる。サービスサーバ３００のハードウェア構成は、図に示した各装置を１つ又は複数含むように構成されてもよいし、一部の装置を含まずに構成されてもよい。
【００５７】
サービスサーバ３００における各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【００５８】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、類似エリア判断部３０３および端末決定部３０４などは、プロセッサ１００１で実現されてもよい。
【００５９】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、サービスサーバ３００は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００６０】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【００６１】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００６２】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の受信部３０１および通知部３０５は、通信装置１００４で実現されてもよい。
【００６３】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００６４】
また、プロセッサ１００１やメモリ１００２などの各装置は、情報を通信するためのバス１００７で接続される。バス１００７は、単一のバスで構成されてもよいし、装置間で異なるバスで構成されてもよい。
【００６５】
また、サービスサーバ３００は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００６６】
以上、本実施形態について詳細に説明したが、当業者にとっては、本実施形態が本明細書中に説明した実施形態に限定されるものではないということは明らかである。本実施形態は、特許請求の範囲の記載により定まる本発明の趣旨及び範囲を逸脱することなく修正及び変更態様として実施することができる。したがって、本明細書の記載は、例示説明を目的とするものであり、本実施形態に対して何ら制限的な意味を有するものではない。
【００６７】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００６８】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００６９】
情報等は、上位レイヤ(または下位レイヤ)から下位レイヤ(または上位レイヤ)へ出力され得る。複数のネットワークノードを介して入出力されてもよい。
【００７０】
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置へ送信されてもよい。
【００７１】
判定は、１ビットで表される値（０か１か）によって行われてもよいし、真偽値（Boolean：trueまたはfalse）によって行われてもよいし、数値の比較（例えば、所定の値との比較）によって行われてもよい。
【００７２】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００７３】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００７４】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００７５】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００７６】
なお、本明細書で説明した用語及び／又は本明細書の理解に必要な用語については、同一の又は類似する意味を有する用語と置き換えてもよい。
【００７７】
本明細書で使用する「システム」および「ネットワーク」という用語は、互換的に使用される。
【００７８】
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【００７９】
本明細書で使用する「判断(determining)」、「決定(determining)」という用語は、多種多様な動作を包含する場合がある。「判断」、「決定」は、例えば、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【００８０】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００８１】
「含む（including）」、「含んでいる（including）」、およびそれらの変形が、本明細書あるいは特許請求の範囲で使用されている限り、これら用語は、用語「備える(comprising)」と同様に、包括的であることが意図される。さらに、本明細書あるいは特許請求の範囲において使用されている用語「または（or）」は、排他的論理和ではないことが意図される。
【００８２】
本明細書において、文脈または技術的に明らかに1つのみしか存在しない装置である場合以外は、複数の装置をも含むものとする。
【符号の説明】
【００８３】
１００…携帯端末、１５０…固定端末、２００ａ…無線タグ、２００ｂ…無線タグ、２００ｃ…無線タグ、２００ｄ…無線タグ、３０１…受信部、３０２…端末情報記憶部、３０３…類似エリア判断部、３０４…端末決定部、３０５…通知部。
【図１】
2018018442.tif 000003
【図２】
2018018442.tif 000004
【図３】
2018018442.tif 000005
【図４】
2018018442.tif 000006
【図５】
2018018442.tif 000007
【図６】
2018018442.tif 000008
【図７】
2018018442.tif 000009
【図８】
2018018442.tif 000010
【図９】
2018018442.tif 000011